(57)【要約】【課題】特定会員向けの特典がある施設を容易に検索することができる施設検索システムおよびナビゲーション装置を提供すること。【解決手段】ナビゲーション装置１００において利用者が会員となっているクレジットカード等を指定するとともに所定の検索条件を入力して所定の検索依頼をサービスセンター２００に送る。サービスセンター２００では、この検索条件を満たす施設を検索し、各施設に対応する上述した会員向けの特典の有無や特典の内容を付加した検索結果をナビゲーション装置１００に送り返す。ナビゲーション装置１００では、会員向けの特典の有無等がわかるように、検索結果としての施設のリスト表示が行われる。【選択図】　　　　図１
2004085496.tif 000002
【特許請求の範囲】
【請求項１】
特定会員であることを入力する入力手段と、
前記特定会員に対して提供される特典に関する特典情報が関連づけられた施設情報が格納されたデータベースと、
前記データベースに格納された施設情報に基づいて、所定の検索条件を満たす施設を検索する施設検索手段と、
前記施設検索手段によって検索された施設を、それぞれの施設に対応する前記特典情報とともに表示する検索結果表示手段と、
を備えることを特徴とする施設検索システム。
【請求項２】
特定会員であることを入力する入力手段と、
前記特定会員に対して提供される特典に関する特典情報が関連づけられた施設情報が格納されたデータベースと、
前記データベースに格納された施設情報に基づいて、所定の検索条件を満たし、かつ前記特定会員が前記特典を享受可能な施設を検索する施設検索手段と、
前記施設検索手段によって検索された施設を表示する検索結果表示手段と、
を備えることを特徴とする施設検索システム。
【請求項３】
請求項１または２において、
前記入力手段は、画面上に表示された複数種類の会員を示す選択肢の中から、利用者が会員となっているものを選択することにより、前記特定会員であることを入力することを特徴とする施設検索システム。
【請求項４】
請求項１〜３のいずれかにおいて、
前記入力手段は、画面上に表示された入力枠内に、利用者が従業員として在籍している企業名を入力することにより、前記特定会員であることを入力することを特徴とする施設検索システム。
【請求項５】
請求項２において、
前記特典は、施設において提供されるサービスに対する対価の値引きサービスであり、
前記検索結果表示手段は、利用者が複数の特定会員になっている場合に、前記値引きサービスの値引率の高い順に、前記複数の特定会員の種別を表示することを特徴とする施設検索システム。
【請求項６】
請求項１〜５のいずれかにおいて、
前記入力手段と前記検索結果表示手段を少なくとも備えた車載用のナビゲーション装置であって、
前記検索結果表示手段によって表示された施設の中のいずれかを目的地に指定する目的地指定手段と、
前記目的地指定手段によって指定された目的地までの走行経路を探索する経路探索手段と、
前記経路探索手段によって探索された前記走行経路に沿って、車両の走行を誘導する経路誘導手段と、
を備えることを特徴とするナビゲーション装置。
【発明の詳細な説明】
【０００１】
【発明の属する技術分野】
本発明は、所定の検索条件を満たす施設を検索したり、この検索によって抽出された施設までの走行経路を探索する施設検索システムおよびナビゲーション装置に関する。
【０００２】
【従来の技術】
一般に、車載用のナビゲーション装置は、利用者によって指定された検索条件に基づいて特定の施設を検索する施設検索機能や、利用者によって指定された目的地や経由地までの走行経路を探索する経路探索機能や、経路探索によって得られた走行経路に沿って車両を誘導する経路誘導機能等を有している。利用者は、施設検索機能を用いることにより、所望の施設、例えば昼時に立ち寄りたいレストラン等を検索することができる。
【０００３】
また、最近では、顧客を確保する手段の一つとして、特定会員向けに特定の施設において値引き等の特典を与える場合がある。例えば、特定の会社が発行するクレジットカードの会員になると、このクレジットカードを提示したり使用したりすることにより、特定のレストランにおいて飲食代金の値引きサービスが受けられたり、特定の映画館で入場料の値引きサービスが受けられたりする。したがって、上述したナビゲーション装置の施設検索機能、経路探索機能、経路誘導機能を用いて、これらの値引きサービス等を受けることが可能なレストランや映画館を検索するとともに車両を誘導することにより、特定会員向けに提供される値引きサービス等を有効に活用することができるようになる。
【０００４】
【発明が解決しようとする課題】
ところで、特定会員向けに提供される値引きサービス等の特典の対象となる施設は、例えば会員誌の紙面やインターネット画面等において各会員に知らされ、各会員は、これらの紙面や画面を見て、自分が利用したいと思う施設を記憶し、あるいは紙に書き留めたり、会員誌そのものを携行する必要がある。このように、特定会員向けの値引きサービス等の特典を利用するためには、利用者（会員）自身が利用したい施設を特定する必要があり、検索が煩雑になるという問題があった。特に、利用者自身がこのような値引きサービス等の特典の対象となる施設を記憶していない場合であって、会員誌やこれらの施設名称等を書き留めた紙等を携行していない場合には、ナビゲーション装置の施設検索機能を用いても、特典を受けることができる特定施設を見つけることは困難になり、結局、本来であれば受けることができる特典を受けることができないことになる。
【０００５】
本発明は、このような点に鑑みて創作されたものであり、その目的は、特定会員向けの特典がある施設を容易に検索することができる施設検索システムおよびナビゲーション装置を提供することにある。
【０００６】
【課題を解決するための手段】
上述した課題を解決するために、本発明の施設検索システムは、特定会員であることを入力する入力手段と、特定会員に対して提供される特典に関する特典情報が関連づけられた施設情報が格納されたデータベースと、データベースに格納された施設情報に基づいて、所定の検索条件を満たす施設を検索する施設検索手段と、施設検索手段によって検索された施設を、それぞれの施設に対応する特典情報とともに表示する検索結果表示手段とを備えている。検索結果の表示に各施設の特典情報を含ませることにより、特定会員向けの特典がある施設を容易に検索することができる。
【０００７】
また、本発明の施設検索システムは、特定会員であることを入力する入力手段と、特定会員に対して提供される特典に関する特典情報が関連づけられた施設情報が格納されたデータベースと、データベースに格納された施設情報に基づいて、所定の検索条件を満たし、かつ特定会員が特典を享受可能な施設を検索する施設検索手段と、施設検索手段によって検索された施設を表示する検索結果表示手段とを備えている。このように、検索する際に特定会員向けの特典を指定することが可能になるため、特定会員向けの特典がある施設を容易に検索することができる。
【０００８】
また、上述した入力手段は、画面上に表示された複数種類の会員を示す選択肢の中から、利用者が会員となっているものを選択することにより、特定会員であることを入力することが望ましい。これにより、代表的な特定会員の種類を指定する際の入力の手間を軽減することが可能になる。
【０００９】
また、上述した入力手段は、画面上に表示された入力枠内に、利用者が従業員として在籍している企業名を入力することにより、特定会員であることを入力することが望ましい。これにより、特定の企業の従業員に対して何らかの特典を与える施設がある場合に、このような施設のみを検索することが容易となる。
【００１０】
また、上述した特典は、施設において提供されるサービスに対する対価の値引きサービスであり、検索結果表示手段は、利用者が複数の特定会員になっている場合に、値引きサービスの値引率の高い順に、複数の特定会員の種別を表示することが望ましい。各施設において与えられる特典は、商品等の値引きサービスが最も多いと考えられるが、このような場合にその値引率が高い順に特定会員の種別を表示することにより、利用者にとって最も利益のある特典を選択することが可能になる。例えば、複数のクレジットカードを所有している場合であって店舗等における値引率がクレジットカード毎に異なっている場合に、どのクレジットカードを使用したときに利用者が最も得をするかが容易にわかるようになる。
【００１１】
また、本発明のナビゲーション装置は、上述した入力手段と検索結果表示手段を少なくとも備えており、さらに、検索結果表示手段によって表示された施設の中のいずれかを目的地に指定する目的地指定手段と、目的地指定手段によって指定された目的地までの走行経路を探索する経路探索手段と、経路探索手段によって探索された走行経路に沿って、車両の走行を誘導する経路誘導手段とを備えている。これにより、特典が与えられる施設を検索してからその施設に行くまでの利用者の手間を少なくすることができる。
【００１２】
【発明の実施の形態】
以下、本発明を適用した一実施形態の施設検索システムについて、図面を参照しながら説明する。
図１は、一実施形態の施設検索システムの構成を示す図である。図１に示す施設検索システムは、各車両に搭載されたナビゲーション装置１００と、ナビゲーション装置１００を用いて指定された検索条件を満たす施設を検索するサービスセンター２００とを含んで構成されている。ナビゲーション装置１００とサービスセンター２００との間は、所定のネットワーク３００を介して接続されている。なお、本実施形態におけるネットワーク３００は、移動体電話網を含んで構成されており、移動中の車両に搭載されたナビゲーション装置１００とサービスセンター２００との間を相互に接続している。また、ナビゲーション装置１００とネットワーク３００の間は、車両に備わった移動体電話（図示せず）を用いて接続されている。
【００１３】
次に、ナビゲーション装置１００の詳細構成について説明する。図２は、ナビゲーション装置１００の詳細構成を示す図である。図２に示すナビゲーション装置１００は、ナビゲーションコントローラ１、ＤＶＤ２、ディスク読取装置３、リモートコントロール（リモコン）ユニット４、車両位置検出部５、ディスプレイ装置６、オーディオ部７を含んで構成されている。
【００１４】
ナビゲーションコントローラ１は、ナビゲーション装置の全体を制御する。このナビゲーションコントローラ１は、ＣＰＵ、ＲＯＭ、ＲＡＭ等を用いて所定の動作プログラムを実行することによりその機能が実現される。
ＤＶＤ２は、地図表示や経路探索など各種のナビゲーション動作を行うために必要な地図データが格納されている情報記録媒体である。地図データには、地図表示に必要な地図画像データと経路探索に必要な道路データとが含まれている。このＤＶＤ２には、経度および緯度で適当な大きさに区切られた矩形形状の図葉を単位とした地図データが格納されている。各図葉の地図データは、図葉番号を指定することにより特定され、読み出すことが可能となる。
【００１５】
ディスク読取装置３は、１枚あるいは複数枚のＤＶＤ２が装填可能であり、ナビゲーションコントローラ１の制御によっていずれかのＤＶＤ２から地図データの読み出しを行う。なお、装填されるディスクは必ずしもＤＶＤでなくてもよく、ＣＤでもよい。また、ＤＶＤとＣＤの双方を選択的に装填可能としてもよい。
【００１６】
リモコンユニット４は、上下左右等の方向を指定するジョイスティックと、数字を入力するテンキーや各種の設定などを確定する「決定キー」などの各種の操作キーとを備えており、操作内容に応じた信号をナビゲーションコントローラ１に出力する。本実施形態では、サービスセンター２００に検索を依頼する際に検索条件を指定したり、利用者が会員となっている（所持している）クレジットカードを特定したりするが、これらの操作はこのリモコンユニット４を用いて行われる。
【００１７】
車両位置検出部５は、例えば、ＧＰＳ受信機、方位センサ、距離センサなどを備えており、所定のタイミングで車両位置（経度、緯度）の検出を行い、検出データを出力する。
ディスプレイ装置６は、ナビゲーションコントローラ１から出力される描画データに基づいて、自車位置周辺の地図画像や周辺施設の検索結果などの各種画像を表示する。オーディオ部７は、ナビゲーションコントローラ１から入力される音声信号に基づいて生成した案内音声等を車室内に出力する。
【００１８】
また、図２に示すように、上述したナビゲーションコントローラ１は、地図バッファ１０、地図読出制御部１２、地図描画部１４、車両位置計算部２０、経路探索処理部２２、誘導経路描画部２４、音声案内部２６、施設検索部３０、施設情報描画部３２、通信処理部３４、入力処理部４０、表示処理部５０を含んで構成されている。
【００１９】
地図バッファ１０は、ディスク読取装置３によってＤＶＤ２から読み出された地図データを一時的に格納する。地図読出制御部１２は、車両位置計算部２０により算出される車両位置や入力処理部４０からの指示に応じて、所定範囲の地図データの読み出し要求をディスク読取装置３に出力する。地図描画部１４は、地図バッファ１０に格納された地図データに基づいて、地図画像を表示するために必要な描画処理を行って地図画像描画データを作成する。
【００２０】
車両位置計算部２０は、車両位置検出部５から出力される検出データに基づいて自車位置を計算するとともに、計算した自車位置が地図の道路上にない場合には地図の道路形状と走行軌跡とに基づいて自車位置を修正するマップマッチング処理を行う。
【００２１】
経路探索処理部２２は、出発地と目的地との間を所定の探索条件にしたがって結ぶ走行経路を誘導経路として探索する。誘導経路描画部２４は、経路探索処理部２２による探索処理によって得られた誘導経路を地図上に重ねて表示するための誘導経路描画データを生成する。音声案内部２６は、経路探索処理部２２による探索処理によって得られた誘導経路に沿って車両を誘導するために必要な交差点案内等の音声信号を生成する。
【００２２】
施設検索部３０は、利用者によって指定される検索条件を満足する施設がサービスセンター２００によって検索されてその検索結果が送られてきたときに、その中に含まれる一の施設を選択する。施設情報描画部３２は、この送られてきた検索結果やさらにこの中の一の施設の詳細情報を表示するために必要な描画処理を行って、施設情報描画データを作成する。
【００２３】
通信処理部３４は、ナビゲーション装置１００がネットワーク３００を介してサービスセンター２００との間で検索条件や検索結果等の各種データ通信を行うために必要な処理を行う。この通信処理部３４には、移動体電話（図示せず）が外付けされている。
【００２４】
入力処理部４０は、リモコンユニット４から入力される各種の操作指示に対応する動作を行うための命令をナビゲーションコントローラ１内の各部に向けて出力する。表示処理部５０は、地図描画部１４によって生成される地図画像描画データが入力されており、この描画データに基づいて所定範囲の地図画像をディスプレイ装置６の画面に表示する。また、施設情報描画部３２によって生成される施設情報描画データや誘導経路描画部２４によって生成される誘導経路描画データが入力されると、表示処理部５０は、これらの描画データを地図画像に重ねてディスプレイ装置６の画面に表示する。
【００２５】
次に、サービスセンター２００の詳細構成について説明する。図３は、サービスセンター２００の詳細構成を示す図である。図３に示すように、サービスセンター２００は、センター制御部２１０、施設ＤＢ（データベース）２２０、特典ＤＢ２３０、通信処理部２４０を含んで構成されている。
【００２６】
センター制御部２１０は、ナビゲーション装置１００に対して検索結果を送るためにサービスセンター２００の全体を制御するためのものであり、施設検索部２１２と特典抽出部２１４とを備えている。このセンター制御部２１０は、ＣＰＵ、ＲＯＭ、ＲＡＭなどを含むコンピュータとしての構成を有しており、ＲＯＭあるいはＲＡＭに格納された所定のプログラムを実行することにより所定の制御動作を行う。
【００２７】
施設検索部２１２は、ナビゲーション装置１００から送られてくる検索条件を満たす施設の検索を行う。特典抽出部２１４は、施設検索部２１２による検索と並行してあるいは検索が終了した後に該当施設によって利用者が与えられる特典を抽出する。この特典をどのようにして検索動作と関連づけるかについては、主に２つのケースが考えられる。一つのケースとしては、検索条件を満たす施設の検索をこの特典の有無とは無関係に行って、検索結果として得られる施設のリストにおいて各施設での特典の有無を付加する場合が考えられる。残りのケースとしては、検索条件を満たす施設の検索を行う場合に、さらに「利用者に対して何らかの特典が与えられる施設」という条件を加味して検索を行う場合が考えられる。いずれにしても、利用者は、検索結果としての施設リストを見たときに、何らかの特典のある施設を選択することが可能になる。
【００２８】
施設ＤＢ２２０は、施設の検索に必要な各施設の詳細な施設情報を格納する。この施設情報には、各施設の名称や各施設が属するカテゴリ、所在地、電話番号等が含まれている。特典ＤＢ２３０は、各施設に対応する詳細な特典情報が格納されている。例えば、本実施形態では、各施設において特典が与えられる特定会員として、クレジットカードの会員と特定企業の従業員を考えるものとし、この特典情報には各施設においてこれらの特定会員向けに与えられる特典の有無と内容が含まれている。
【００２９】
通信処理部２４０は、サービスセンター２００がネットワーク３００を介してナビゲーション装置１００との間でデータ通信を行うために必要な処理を行う。ところで、各施設に対応する特典の内容については定期的に見直しがなされており、適宜変更されるため、特典ＤＢ２３０に格納された特典情報は常に最新の内容を維持することが望ましい。このために、本実施形態では、図１に示すように、サービスセンター２００とクレジットカード各社（Ｖ社、Ｍ社、Ａ社等）とがインターネット等のネットワーク３１０を介して接続されており、クレジット各社の最新情報に基づいてサービスセンター２００内の特典ＤＢ２３０の内容が更新されるようになっている。
【００３０】
上述したリモコンユニット４、入力処理部４０が入力手段に、施設ＤＢ２２０、特典ＤＢ２３０がデータベースに、施設検索部２１２、特典抽出部２１４が施設検索手段に、施設情報描画部３２、表示処理部５０が検索結果表示手段にそれぞれ対応する。また、リモコンユニット４、入力処理部４０、施設検索部３０が目的地指定手段に、経路探索処理部２２が経路探索手段に、経路誘導描画部２４、音声案内部２６が経路誘導手段にそれぞれ対応する。
【００３１】
本実施形態の施設検索システムはこのような構成を有しており、次にその動作を説明する。
図４は、利用者が会員となっているクレジットカードと従業員となって在籍している会社名（企業名）を入力する会員設定画面の具体例を示す図である。図４に示すように、本実施形態の会員設定画面の上半分の領域には、「所持しているクレジットカードをチェックして下さい。」という文字とともに、代表的なクレジットカードである「ＶＸＸＸ」、「ＭＸＸＸ」、「ＡＸＸＸ」、…についてチェック欄が設けられている。利用者は、リモコンユニット４を操作して、自分が所持しているクレジットカードのチェック欄をチェックする（例えば該当チェック欄を選択した状態で「決定キー」を押下する）。
【００３２】
また、この会員設定画面の下半分の領域には、「在籍している会社名を入力して下さい。」という文字列とともに、実際に会社名を入力する入力枠が設けられている。利用者は、この入力枠に自分が在籍する会社名を直接入力する。この会社名の入力は、例えばこの会員設定画面上に重ねて表示される仮名入力キー、漢字変換キー、確定キー等を含む仮名−漢字変換画面を用いて行うことができる。
【００３３】
上述した会員設定画面を用いて入力された会員情報は、ナビゲーション装置１００内の不揮発性メモリ等の記憶装置（図示せず）に格納される。
ナビゲーション装置の動作
図５は、ナビゲーション装置１００の動作手順を示す流れ図であり、利用者がクレジットカード等の会員となっている場合に何らかの特典を受けることができる施設を検索するために必要なナビゲーション装置１００の動作手順が示されている。
【００３４】
自車位置周辺の地図画像の表示処理等と並行して、施設検索部３０は、検索指示がなされたか否かを判定しており（ステップ１００）、検索指示があるまで否定判断を行ってこの判定を繰り返す。利用者がリモコンユニット４を操作して所定の検索指示を行うと、施設検索部３０は、ステップ１００の判定において肯定判断を行って、検索条件の入力処理を行う（ステップ１０１）。例えば、利用者がリモコンユニット４を操作することにより、検索によって抽出したい施設のジャンルをジャンル一覧リストの中から選択することにより、検索条件の入力処理が行われる。
【００３５】
次に、施設検索部３０は、図４に示した会員設定画面を用いて既に入力されている会員情報を読み出して、ステップ１０１において入力された検索条件に付加した所定の検索依頼を、通信処理部３４を介してサービスセンター２００に向けて送信する（ステップ１０２）。この送信処理が終了すると、施設検索部３０は、サービスセンター２００から送られてくる検索結果を受信したか否かを判定し（ステップ１０３）、受信していない場合には否定判断を行ってこの判定処理を繰り返す。
【００３６】
サービスセンター２００から送られてくる検索結果を通信処理部３４を介して受信するとステップ１０３の判定において肯定判断が行われ、次に施設情報描画部３２は、この受信した検索結果を表示する（ステップ１０４）。例えば、検索結果として、検索条件を満たす複数の施設が一覧リストの形式で表示される。また、この一覧リストには複数の施設の名称やその施設までの距離の他に、各施設において特典が与えられる場合にはその旨がわかる記号等が含まれている。例えば、施設名と距離の他に、クレジットカード「ＶＸＸＸ」、「ＭＸＸＸ」、「ＡＸＸＸ」のそれぞれの会員向けに特典が与えられる場合にはＶ、Ｍ、Ａの文字やこれらに対応した記号が、図４に示した会員設定画面を用いて入力した会社名の企業の従業員向けに特典が与えられる場合にはＫの文字やこれに対応した記号が表示される。また、これらの文字や記号等を表示する順番（配列の順番）は、値引きサービスの場合を考えると最も値引率が大きなクレジットカード等が最も左（あるいは右）になるように表示することが望ましい。このように配列順番を設定することにより、複数のクレジットカードを所有する利用者は、どのクレジットカードを使用したときに最も得をするかがその配列順番を見ただけで容易にわかるようになる。さらに、このような検索結果の一覧リストには、何らかの特典がある企業のみが含まれる場合の他に、特典の有無に関係なく検索条件を満たす企業が含まれるようにしてその中で特典がある企業にはそれがわかる記号等を付するようにする場合がある。
【００３７】
次に、施設検索部３０は、検索条件を変更するか否かを判定する（ステップ１０５）。利用者によって検索条件の変更が指示された場合には肯定判断が行われ、上述したステップ１０１に戻って検索条件の入力処理以降が繰り返される。また、検索条件の変更が指示されない場合にはステップ１０５の判定において否定判断が行われ、次に、施設検索部３０は、検索結果の一覧リストに含まれる一の施設について詳細表示が指示されたか否かを判定する（ステップ１０６）。利用者によってリモコンユニット４が操作されて一の施設の詳細表示が指示された場合には肯定判断が行われ、次に、施設情報描画部３２は、指定された一の施設の詳細情報を表示する（ステップ１０７）。例えば、この指定された一の施設の詳細情報の送信依頼が通信処理部３４を介してサービスセンター２００に送られると、該当する施設情報が施設ＤＢ２２０、特典ＤＢ２３０から読み出されて送り返されてくる。施設情報描画部３２は、この施設情報の内容を描画して表示する。また、この施設情報には、施設自体の詳細内容の他に、この施設において利用者に与えられる特典の内容（値引きサービスの場合には値引率や値引額、その他のサービスの場合にはその具体的内容）が含まれている。
【００３８】
詳細表示が行われた後、あるいは詳細表示が指示されない場合にはステップ１０６の判定において否定判断が行われた後に、経路探索処理部２２は、一の施設が経路探索の目的地として設定されたか否かを判定する（ステップ１０８）。設定されない場合には否定判断が行われ、次に、施設検索部３０は、検索終了か否かを判定する（ステップ１０９）。施設検索を継続する場合には否定判断が行われ、上述したステップ１０５に戻って検索条件変更の判定処理以降が繰り返される。また、利用者がリモコンユニット４を操作して検索処理の終了が指示された場合には、ステップ１０９の判定において肯定判断が行われ、一連の施設検索処理が終了する。
【００３９】
また、検索結果の一覧リストに含まれる一の施設が選択された状態で、あるいは一の施設の詳細表示が行われた状態で、利用者がリモコンユニット４を操作して目的地設定を指示した場合にはステップ１０８の判定において肯定判断が行われ、次に、経路探索処理部２２は、現在の車両位置を出発地として、設定された目的地までの最適な走行経路を探索する（ステップ１１０）。この探索によって得られた走行経路は、誘導経路描画部２４によって地図画像に重ねて表示され（ステップ１１１）、その後音声案内部２６による経路誘導が開始される（ステップ１１２）。
【００４０】
図６は、サービスセンター２００の動作手順を示す流れ図であり、ナビゲーション装置１００からの検索依頼に対応して施設検索を行う場合の動作手順が示されている。
施設検索部２１２は、ナビゲーション装置１００から送られてくる検索依頼を受信したか否かを判定しており（ステップ２００）、検索依頼があるまで否定判断を行ってこの判定を繰り返す。また、検索依頼があるとステップ２００の判定において肯定判断が行われ、次に、施設検索部２１２は、施設ＤＢ２２０に格納された施設情報に基づいて、検索条件を満たす施設を検索する（ステップ２０１）。
【００４１】
次に、特典抽出部２１４は、特典ＤＢ２３０に格納された特典情報に基づいて、ステップ２０１において検索された各施設について、会員となっている利用者に対して何らかの特典があるか否かを判定する（ステップ２０２）。何らかの特典がある場合には肯定判断が行われ、特定抽出部２１４は、その特典の内容を特典ＤＢ２３０から読み出す（ステップ２０３）。
【００４２】
特典内容の読み出しが終了した後、あるいは検索によって抽出された施設に対応する特典が何もない場合にはステップ２０２において否定判断が行われた後、施設検索部２１２は、検索によって抽出された施設の一覧リストとともに各施設に対応する特典情報（特典情報が何もない場合には施設の一覧リストのみ）を検索結果として、通信処理部２４０を介してナビゲーション装置１００に向けて送信する（ステップ２０４）。
【００４３】
このように、本実施形態では、ナビゲーション装置１００において検索結果としての施設の一覧リストを表示する際に利用者が特定のクレジットカードの会員である場合等において何らかの特典が得られるか否かが示されるため、あるいは特典がある施設のみを検索することができるため、会員向けの特典がある施設を容易に選択することができる。
【００４４】
なお、本発明は上記実施形態に限定されるものではなく、本発明の要旨の範囲内において種々の変形実施が可能である。例えば、上述した実施形態では、サービスセンター２００において施設検索を行ったが、この施設検索処理をナビゲーション装置１００において行うようにしてもよい。この場合には、サービスセンター２００に備わった施設ＤＢ２２０や特典ＤＢ２３０に格納された各種の情報をＤＶＤ２に格納しておいて、必要に応じて地図バッファ１０に転送すればよい。
【００４５】
また、上述した実施形態では、利用者が複数のクレジットカードを所有している場合に、特典が与えられる複数のクレジットカードの表示順を値引率が高い順とする場合について説明したが、それ以外にも、利用者が優先順位を指定したり、各種のポイントサービスが付与されている場合にその時点での獲得ポイント数が最も高いクレジットカードの表示を優先させたりしてもよい。
【００４６】
また、上述した実施形態では、各種のクレジットカードの会員や特定の企業の従業員を対象に、何らかの特典が与えられる施設を検索するようにしたが、特典付与の対象となる特定会員は、これらの会員に限定されず、他の種類の会員であってもよい。例えば、ガソリン等の販売系列毎に発行されるカードの会員、特定の組合員等何らかの特典付与の対象となる会員（企業の従業員のように名称は問わない）であれば何でもよい。
【００４７】
【発明の効果】
上述したように、本発明によれば、検索結果の表示に各施設の特典情報を含ませることにより、特定会員向けの特典がある施設を容易に検索することができる。
【図面の簡単な説明】
【図１】一実施形態の施設検索システムの構成を示す図である。
【図２】ナビゲーション装置の詳細構成を示す図である。
【図３】サービスセンターの詳細構成を示す図である。
【図４】利用者が会員となっているクレジットカードと従業員となって在籍している会社名を入力する会員設定画面の具体例を示す図である。
【図５】ナビゲーション装置の動作手順を示す流れ図である。
【図６】サービスセンターの動作手順を示す流れ図である。
【符号の説明】
１　ナビゲーションコントローラ
４　リモコンユニット
６　ディスプレイ装置
１０　地図バッファ
１２　地図読出制御部
１４　地図描画部
３０　施設検索部
３２　施設情報描画部
３４、２４０　通信処理部
４０　入力処理部
５０　表示処理部
１００　ナビゲーション装置
２００　サービスセンター
２１０　センター制御部
２１２　施設検索部
２１４　特典抽出部
２２０　施設ＤＢ（データベース）
２３０　特典ＤＢ
３００、３１０　ネットワーク
【図１】
2004085496.tif 000003
【図２】
2004085496.tif 000004
【図３】
2004085496.tif 000005
【図４】
2004085496.tif 000006
【図５】
2004085496.tif 000007
【図６】
2004085496.tif 000008